(57)【要約】【課題】本考案は、低周波電気治療装置を用いた美顔方法及び同方法に使用する治療導子構造に関する。【解決手段】本考案は、低周波電気治療装置における治療導子の端子部分をアルミナ粉、チタン粉及びプラチナ粉よりなる混合粉末を分散状態で混入した繊維体により被覆し、同繊維体を湿潤した状態とし、あるいは湿潤しない状態として顔面の皮膚患部に圧着することにより美顔施術を行うことを特徴とする低周波電気治療装置を用いた美顔方法を提供するものである。【選択図】図２
0003141514.tif 000002
【実用新案登録請求の範囲】
【請求項１】
低周波電気治療装置に用いる治療導子を、先端開口の良導電性の金属筒体（D-1）と、同金属筒体（D-1）の内部中央部に挿入固定した綿棒（E-1）と同綿棒（E-1）の先端から突出状態に止着された球状の綿体（E-2）とより構成すると共に、
アルミナ粉、チタン粉及びプラチナ粉よりなる混合粉末を分散状態で混入した繊維体（3）で、前記綿体（E-2）を被覆し、しかも前記繊維体（3）及び綿体（E-2）の基端部（E-3）は、それぞれ金属筒体（D-1）の開口部に一部嵌入接触させると共に、同繊維体（3）を湿潤した状態で顔面の皮膚患部を圧着しながらなぞることにより、
前記プラチナ粉によって、酸素と水素を吸着することによる皮膚の活性化と、
前記繊維体(3)より発生する遠赤外線で顔面皮膚の血行を促進する温熱効果と、
低周波電気治療装置からの電気エネルギーで顔面神経や筋肉を刺激する刺激効果と、を同時に生起して顔面皮膚に相乗的な効果を与え、顔面の皮膚のしみや皺を除去する美顔施術を行うべく構成した美顔用の低周波電気治療装置における治療導子構造。
【考案の詳細な説明】
【技術分野】
【０００１】
本考案は、美顔用の低周波電気治療装置における治療導子構造に関するものである。
【背景技術】
【０００２】
従来、いわゆるエステティックサロン等で美顔施術がなされているが、主には顔面の皮膚をマッサージしたり、負圧吸引器で顔面の皮膚を適宜吸引して血行促進を図ったり、低周波電気治療装置の治療導子を湿布体を介して顔面皮膚に圧接して電気的に刺激を与えて血行促進を図ることにより顔面皮膚の生体細胞の活性化を行い皮膚の皺をとったり、しみの除去をしたりしている。
【０００３】
特に、かかる美顔施術の主たるものは、上記の低周波電気治療装置により治療パルスを顔面に通電して電気刺激によって顔面の生体細胞の新陳代謝を行なうものであり、具体的には、低周波電気治療装置の出力端子に接続した対極治療導子と治極治療導子とを湿布体を介して顔面の治療個所に離隔して圧着し、治療導子間に通電回路を形成して治療パルスを顔面神経に付与し、神経刺激により顔面筋肉の収縮を行って血行促進を行い顔面皮膚の生体細胞の活性化を図り皮膚の皺をとったり、しみの除去等を行っている。
【０００４】
そして、かかる低周波電気治療装置による美顔施術を行う場合には、治療導子と皮膚患部との間に綿体等の湿布体を介在せしめて治療導子の皮膚密着性と通電性を図りながら離隔した対極導子と治極導子を顔面皮膚に圧接している。このように治療導子と皮膚患部との間に湿布体を介在せしめるのは、治療導子と皮膚面との密着性を向上すると共に、通電効果を上げて治療導子間の通電回路を形成しやすくして、有効に治療パルスが生体細胞に電気的刺激を及ぼすためである。
【特許文献１】実開平０４−１５９４９号公報
【考案の開示】
【考案が解決しようとする課題】
【０００５】
このように、低周波電気治療装置においては、治療導子間に治療パルスを通電して電気的刺激により生体細胞の新陳代謝を行うに際し、各治療導子と皮膚患部との間に湿布体を介在せしめかかる湿布体には含水機能を保有させているが、かかる湿布体は治療導子と皮膚面とのソフトな密着性を向上させることと、治療パルスの通電機能を向上させることの目的でしか考慮されていなかった。
【課題を解決するための手段】
【０００６】
この考案は、低周波電気治療装置に用いる治療導子を、先端開口の良導電性の金属筒体と、同金属筒体の内部中央部に挿入固定した綿棒と同綿棒の先端から突出状態に止着された球状の綿体とより構成すると共に、アルミナ粉、チタン粉及びプラチナ粉よりなる混合粉末を分散状態で混入した繊維体で、前記綿体を被覆し、しかも前記繊維体及び綿体の基端部は、それぞれ金属筒体の開口部に一部嵌入接触させると共に、同繊維体を湿潤した状態で顔面の皮膚患部を圧着しながらなぞることにより、前記プラチナ粉によって、酸素と水素を吸着することによる皮膚の活性化と、前記繊維体より発生する遠赤外線で顔面皮膚の血行を促進する温熱効果と、低周波電気治療装置からの電気エネルギーで顔面神経や筋肉を刺激する刺激効果と、を同時に生起して顔面皮膚に相乗的な効果を与え、顔面の皮膚のしみや皺を除去する美顔施術を行うべく構成した美顔用の低周波電気治療装置における治療導子構造を提供するものである。
【考案の効果】
【０００７】
請求項１の考案では、低周波電気治療装置に用いる治療導子を、先端開口の良導電性の金属筒体と、同金属筒体の内部中央部に挿入固定した綿棒と同綿棒の先端から突出状態に止着された球状の綿体とより構成すると共に、アルミナ粉、チタン粉及びプラチナ粉よりなる混合粉末を分散状態で混入した繊維体で、前記綿体を被覆し、しかも前記繊維体及び綿体の基端部は、それぞれ金属筒体の開口部に一部嵌入接触させると共に、同繊維体を湿潤した状態で顔面の皮膚患部を圧着しながらなぞることにより、前記プラチナ粉によって、酸素と水素を吸着することによる皮膚の活性化と、前記繊維体より発生する遠赤外線で顔面皮膚の血行を促進する温熱効果と、低周波電気治療装置からの電気エネルギーで顔面神経や筋肉を刺激する刺激効果と、を同時に生起して顔面皮膚に相乗的な効果を与え、顔面の皮膚のしみや皺を除去する美顔施術を行うべく構成したため、かかる治療導子を顔面の所定個所に圧着して筋肉群のうち所定の筋肉繊維に低周波電気エネルギーを送り電気刺激によって組織を回復させる強化運動をおこなうと、低周波電気エネルギーが筋肉繊維に送られる際に赤外線微弱エネルギーいわゆる遠赤が皮膚内部の筋肉繊に浸透して細胞内の水分子の動きを活発にし細胞の活性化を促進し老廃物を体外に排出し新陳代謝を活発にするものであり、低周波の電気エネルギーを人体に送り筋肉繊維をあたえるという効果に加えて遠赤外線効果や温熱効果という相乗効果が加わるので複雑な凹凸のある顔面の筋肉や皮膚を容易にかつ速やかに活性化させ顔面の皮膚の弛みを取りしみや皺を飛躍的に除去できる効果がある。
【考案を実施するための最良の形態】
【０００８】
この考案では、低周波電気治療装置の治療導子の端子部分、例えば治療導子先端に連設した綿棒の先端綿体をアルミナ粉、チタン粉及びプラチナ粉よりなる混合粉末が分散状態で混入した繊維体により被覆し同繊維体は綿体と共に水で湿潤した状態とし、かかる治療導子を顔面の所定個所に圧着して低周波電気エネルギーにより顔面神経を刺激し、筋肉群のうち所定の筋肉繊維の収縮を図って血行の促進を行い、かかる電気刺激によって顔面の筋肉組織を回復させる強化運動を行うものである。なお、治療導子の端子部分は、繊維体で被覆すること以外にアルミナ粉、チタン粉及びプラチナ粉よりなる混合粉末が分散状態で混入した繊維体そのもので構成してもよい。
【０００９】
このようにして対極導子と治極導子との間においては通電回路が形成されて低周波電気エネルギーが顔面神経を刺激し、顔面の筋肉繊維の活性化を図ることになるが、顔面皮膚と各治療導子との間にアルミナ粉、チタン粉及びプラチナ粉よりなる混合粉末を分散状態で混入した繊維体が介在しているために、繊維体から赤外線微弱エネルギーいわゆる遠赤が発生し皮膚内部の筋肉繊維に浸透して細胞内の水分子の動きを活発にし細胞の活性化を促進し老廃物を対外に排出し新陳代謝を活発にすることになる。
【００１０】
かかる遠赤効果や顔面皮膚への温熱効果は、低周波電気治療装置からの電気エネルギーによる筋肉の収縮効果をより向上し、かつ血行も更に促進させることになるため、顔面皮膚及びその下層筋肉を飛躍的に活性化させることになり、顔面の皺やしみの除去が確実に行える効果を有するものである。
【００１１】
また、かかる効果は低周波電気治療装置における治療導子の端子部分を、アルミナ粉、チタン粉及びプラチナ粉よりなる混合粉末が分散状態で混入した繊維体により構成した場合においても同様である。
【００１２】
より具体的に説明すると、本考案の美顔用の低周波治療装置における治療導子構造によれば、プラチナ粉によって、酸素と水素を吸着することによる皮膚の活性化と、繊維体より発生する遠赤外線で顔面皮膚の血行を促進する温熱効果と、低周波電気治療装置からの電気エネルギーで顔面神経や筋肉を刺激する刺激効果とにより、顔面の皮膚のシミや皺を除去するようにしている。
【００１３】
一般に、皮膚のシミや皺は、加齢により増加することが知られているが、若年時の細胞内で多く生成されていた活性酸素除去酵素が、年を取るにつれて少なくなることが原因の一つと言われている。
【００１４】
これは、老齢時の皮膚細胞では、ミトコンドリアでの呼吸（酸化的リン酸化）により活性酸素が生じても、活性酸素除去酵素が少ないために速やかに分解されず、細胞内に蓄積しやすくなるためである。
【００１５】
特に、活性酸素の中でも、過酸化水素（H2O2）は、安定性が高いため、カタラーゼ（過酸化水素を不均化して酸素と水に変える反応を触媒する酵素）が少ない老齢の細胞には容易に蓄積することとなる。
【００１６】
このように細胞内に蓄積した活性酸素は、皮膚の張りを保つコラーゲンなどのタンパク質を酸化して変性させ、タンパク質同士を重合させてしまうため、皮膚の保水性や弾力性を奪うこととなり、皮膚の皺の大きな原因の一つとなる。
【００１７】
また、一度皮膚表面に現れたシミについても、活性酸素がメラニンを変性させて代謝を阻害することにより、消失の妨げとなる。このように、ヒトの皮膚の表面には、加齢とともに、シミや皺が多く生じることとなるのである。
【００１８】
しかし、皮膚は、常に新たな細胞が生成され、一方で、古い細胞が順次角質化するというサイクルを繰り返している。
【００１９】
そのため、一旦皮膚表面にシミや皺が形成されても、活性酸素の除去操作を繰り返すことにより、新生する細胞内に活性酸素が蓄積するのを防止することができるため、皮膚表面のシミや皺を消失させることができるといえる。
【００２０】
そこで、本考案では、プラチナを用いて、皮膚細胞で生じた活性酸素の消失を促すようにしている。
【００２１】
すなわち、プラチナは酸素と水素を吸着するいわゆるコロイド活性化を促進するものであり、換言すれば、プラチナ粉によって、酸素と水素を吸着することにより皮膚の活性化を促して皮膚のシミや皺の形成を抑制するようにしているのである。
【００２２】
このように、プラチナが酸素と水素とを吸着して水に変換する現象は、例えば、以下の文献等によって示唆されるものである。
（１）武井武,久保輝一郎 編(1966) 新しい工業材料の科学 B6 金属粉体, 84-85, 金原出版株式会社, 東京
（２）iStone・鉱物と隕石と地球深部の石の博物館(2006) 石と元素の周期表: Pt, http://www.istone.org/element/pt.html
したがって、皮膚の老化原因たる活性酸素（特に、過酸化水素：H2O2）が、皮膚の細胞内に発生した場合、この活性酸素にプラチナの上記機能を作用させれば、活性酸素はプラチナにより吸着された酸素や水素と反応して水（H2O）となり、活性酸素の消失を促すこととなる。
【００２３】
かかる現象を、（同一の技術現象であるが）他の技術表現で説明すると、プラチナの使用形態は、ナノ粒子（１〜５nm）のいわゆるナノコロイドとして使用されるとも言える。
【００２４】
プラチナのナノコロイドは、プラチナを微粒子化することにより表面積を大きくして、コロイド中に内包させて触媒効率を向上させたものであり、酸素や水素を吸着して、前記した活性酸素との反応を行い、活性酸素を消失させ老化を防止するというこの現象を生起する。
【００２５】
すなわち、プラチナの使用形態たるナノコロイドに言葉を借りれば、コロイドによる皮膚の活性化、すなわちコロイド活性化と表現することもできる。
【００２６】
また、本考案において「相乗的な効果」とは、プラチナが、酸素と水素とを吸着した結果としての活性酸素の化学的消失と、繊維体からの遠赤外線発生による温熱効果と、低周波の電気エネルギーによる神経や筋肉へのマッサージ様の刺激効果等が、皮膚の局所に同時に付与される相乗的な効果のことをいう。
【００２７】
そして、本考案は、係る相乗的効果を付与する物理的ツールとして、治療導子を構成する綿棒表面に、アルミナ粉、チタン粉、プラチナ粉を混合し混入した繊維体で被覆した構造を用いる点にも特徴を有している。
【００２８】
また、本考案では、治療導子の端子部分の被覆構造に、アルミナ粉、チタン粉及びプラチナ粉よりなる混合粉末を分散状態で混入した繊維体を使用したので、簡単な構造と従来の美顔施術の手法で、遠赤外線効果や温熱効果を低周波の電気エネルギー効果に付加することができ、両方の相乗効果により顔面の筋肉や皮膚を容易にかつ速やかに活性化させ顔面の皮膚の弛みやしみや皺を飛躍的に除去できる効果がある。
【００２９】
また、本考案では、低周波電気治療装置の治療導子の端子部分をアルミナ粉、チタン粉及びプラチナ粉よりなる混合粉末を分散状態で混入した繊維体で構成し同繊維体は湿潤した状態とし、或いは湿潤しない状態とし、かかる治療導子を顔面の所定個所に圧着して筋肉群のうち所定の筋肉繊維に低周波電気エネルギーを送り電気刺激によって組織を回復させる強化運動をおこなうものであるため、低周波電気エネルギーが筋肉繊維に送られる際に赤外線微弱エネルギーいわゆる遠赤が皮膚内部の筋肉繊に浸透して細胞内の水分子の動きを活発にし細胞の活性化を促進し老廃物を対外に排出し新陳代謝を活発にするものであり、低周波の電気エネルギーを人体に送り筋肉繊維に刺激をあたえるという効果に加えて遠赤外線効果や温熱効果という相乗効果が加わるので顔面の筋肉や皮膚を容易にかつ速やかに活性化させ顔面の皮膚の弛みを取りしみや皺を飛躍的に除去できる効果がある。
【００３０】
また、本考案では、治療導子の端子部分を、アルミナ粉、チタン粉及びプラチナ粉よりなる混合粉末を分散状態で混入した繊維体で構成したので、簡単な構造と従来の美顔施術の手法で、遠赤外線効果や温熱効果を低周波の電気エネルギー効果に付加することができ、両方の相乗効果により顔面の筋肉や皮膚を容易にかつ速やかに活性化させ顔面の皮膚の弛みやしみや皺を飛躍的に除去できる効果がある。
【００３１】
すなわち、本願考案に係る美顔用の低周波電気治療装置における治療導子構造では、繊維体及び綿体の基端部は、それぞれ金属筒体の開口部に一部嵌入接触させることとしているため、顔面のマッサージを妨げることのない、コンパクトな構造としながらも、確実な電気伝導性を確保することができて、顔面の筋肉へ十分な刺激を与えることができる。また、同構成要件により、金属筒体と繊維体との接触抵抗を略一定に保つことができる。すなわち、金属筒体と繊維体との接触面に、顔面の汚れが侵入することを防いで、接触抵抗の変動を極力抑えることができるのである。
【００３２】
したがって、電気刺激を安定化させることができ、安全に顔面上でコロイド活性化を生起させることができる。
【００３３】
なお、ここで、コロイド活性化とは、顔面を治療導子の繊維体でなぞることにより、プラチナが混入したミセルを形成し（コロイド化）、このミセルを皮膚表面に延展させたり、皮膚内部に浸透させて皮膚の活性化を促す美容方法をいう。
【００３４】
ミセルは、繊維体によって顔面をなぞることにより、顔面上の水分と、油分と、タンパク質とが混ぜ合わせられることによって形成されるものであり、かかるミセル形成時に繊維体から離脱したプラチナがミセル内に僅かに含有されます。
【００３５】
しかも、ミセルは両親媒性（油にも水にも馴染む）の外殻を有しているため、皮膚への浸透力が高いため、含有されたプラチナを皮膚に効率良く浸透させることができます。
【００３６】
そして、皮膚表面に延展したり、皮膚内部に浸透したプラチナは、前述のように、活性酸素と水素とを吸着して水を生成する反応を触媒することとなる。
【００３７】
この反応により、皮膚の老化の原因である活性酸素は、皮膚の内部や皮膚表面において消失し、美容効果を呈することができ、また、この反応で新たに生成された水は、皮膚の内部や皮膚表面に潤いを与えることとなり、美容効果をさらに促進させることができる。
【００３８】
併せて、この反応で生成された水は、皮膚の表面にぬめりを与えて、繊維体と皮膚との接触摩擦を軽減するため、皮膚を傷つけることなくマッサージを行うことができる。
【００３９】
特に、本願考案に係る治療導子構造にて行うコロイド活性化は、美顔施術患者の体温と、繊維体の電気抵抗による発熱と、で遠赤効果を生起させるとともに、低周波パルスによる筋弛緩や緊張が相乗して毛穴や脂腺を開き、この毛穴や脂腺を介してプラチナを皮膚に浸透させることができ、顔面の美容効果を飛躍的に向上させることができる。
【００４０】
ところで、美顔施術に使用する導子は、美顔施術患者毎に清潔なものを使用する必要がある。すなわち、不特定多数の患者に対して、綿体や繊維体を流用すると、例えば、ある患者が感染性の皮膚疾患等に罹患していた場合、他の患者に感染を広めてしまうというおそれがある。
【００４１】
それゆえ、本考案は、取り替え容易な市販の綿棒を使用可能であって、しかも、繊維体に混入させた前記混合粉末による効果を十分に引き出すべく導電性を可及的向上させることができる導子構造を提供するものであるとも言える。
【００４２】
従来、低周波治療器等に使用されている治療導子のパッド部分（人体に直接接触する部分）は、個人的な使用を目的としているためか、市販品を用いて容易に交換できる構造であるとは言い難いものであった。
【００４３】
また、市販の綿棒を使用可能とした治療導子構造も知られているが、市販の綿棒の軸部分は、メーカーによって太さが異なる場合があり、従来までの治療導子構造では、電極部分への接触が困難となり、十分な導通を確保することが難しく、本願考案の如く混合粉末による相乗的な作用を生起させるには不向きなものであった。
【００４４】
そこで、本願考案では、後述する金属筒体Ｄ−１の先端部開口を内方に向けてテーパー状に加工しているため、綿体や繊維体との十分な導通を確保できるのは勿論のこと、さまざまな太さの市販の綿棒であっても、テーパー部分が径方向に僅かに柔軟性を有しているため正確に綿棒を保持することができ、しかも、テーパー部分によって綿棒の軸を挿入するに際し的確に金属筒体内部に導くことができる。
【００４５】
すなわち、本願考案によれば、取り替え容易な市販の綿棒を使用可能であって、しかも、繊維体に混入させた前記混合粉末による効果を十分に引き出すべく導電性を可及的向上させることができる導子構造を提供するという課題についても解決可能であると言える。
【実施例】
【００４６】
この考案の実施例を図面に基づき詳細に説明すると、図１は、本考案の美顔方法に使用する低周波電気治療装置Aを示している低周波電気治療装置Aは、電源に接続されて低周波の治療用電圧を発生する電子回路と、同回路に接続された一対の出力用電極とを具備している。
【００４７】
かかる低周波電気治療装置Aでは、電子回路から電圧パルスを発生し電圧パルスの周波数の調整によりパルス出力の強弱を調節し、出力用電極から顔面の皮膚面へ電圧パルスを通電することにより低周波による美顔治療を行うように構成されている。
【００４８】
かかる出力用電極は、図１に示すように電子回路を内蔵する治療機本体BにケーブルCでつながれた一対の治療導子Dよりなり、この一対の治療導子Dは対極導子１と治極導子２より構成されている。この一対の治療導子Dを顔面の所定個所に圧着することにより低周波の電気エネルギーを顔面の皮膚を通じて顔面神経や筋肉繊維に伝え血行の促進を図り、かかる電気刺激によって顔面筋肉の生体細胞の新陳代謝を行うようにしている。
【００４９】
この考案の要旨は、かかる美顔施術のための低周波電気治療装置Aにおいて一対の治療導子Dの端子部分、すなわち顔面の皮膚面に当接する部分の改良に係るものである。
【００５０】
一対の治療導子Dは前述のように対極導子１と治極導子２とからなり、各治療導子から電圧パルスを顔面の皮膚面に通電することにより低周波による美顔施術が行われるように構成されており、かかる治療導子Dは図2に示すように先端開口の良導電性の金属筒体D-1よりなり、かかる治療導子Dの端子部分は綿体E-2より構成されている。すなわち、金属筒体D-1の内部中央部には綿棒E-1が挿入固定され綿棒E-1の先端には球状の綿体E-2が金属筒体の先端から突出状態に止着されている。
【００５１】
なお、D-2は金属筒体D-1の基端に連設したグリップ部である。
【００５２】
綿体E-2は、吸水性で湿潤状態を保持し得るような素材、例えば脱脂綿や不織布等より構成されている。
【００５３】
綿体E-2が先端に止着された綿棒E―1の素材は絶縁性のものではなく一定の柔軟性のある導電性ものがよく、例えば、植物繊維性の紙を棒状に固形化したものや、不織布を棒状に固形化したもの等が用いられる。
【００５４】
これらの綿棒E-1と綿体E-2は必要に応じて市販の綿棒製品を使用してもよく、この場合は綿棒の長さを約半分に切断して用いる。
【００５５】
また、綿棒E-1を金属筒体D-1内に挿入固定する場合には 、綿体E-2を包被した後述の繊維体３の基端部と共に綿体の基端部E-3を金属筒体D-1の中空開口部に一部挿入し金属筒体D-1と接触した状態とすることにより綿体E-2及び繊維体３への通電効率をはかっている。
【００５６】
かかる治療導子の金属先端に突出した綿体E-2外表面には繊維体３からなる包被体が被覆されている。
【００５７】
包被体はアルミナ粉、チタン粉及びプラチナ粉よりなる混合粉末を分散状態で混入した繊維体３からなる。
【００５８】
繊維体３は含水機能を有するシートをベースとしており、例えば植物性繊維により織製した布、不織布、合成樹脂繊維によるシート、多孔性のスポンジ状シート等、要するに治療導子の端子部分となる綿体E-2を被覆できる性状を有し、かつ含水機能を有し、かつアルミナ粉、チタン粉及びプラチナ粉よりなる混合粉末を分散状態で混入し得る性状を有するものであればいかなる形状や素材でもよい。
【００５９】
なお、かかる繊維体３は顔面の皮膚に直接に当接するものであるから柔らかく皮膚面を損傷せず、顔面皮膚に心地よい素材でなければならない。
【００６０】
かかる繊維体３には一定成分の混合粉末が分散状態で混入されている。
【００６１】
すなわち、かかる混合粉末は、粒度１μ以下のパウダーの焼結アルミナ粒度１μ以下のパウダー状のチタン微細粒径のプラチナ等の素材を混合した粉末であり、必要に応じて窒化珪素を添加することができる。
【００６２】
各素材の混合割合は以下の通りである。
・ 焼結アルミナ ２５％〜５５％
・ チタン ４０％〜７５％
・ プラチナ １％〜３％
・ 窒化珪素 ２％〜３％
ここでプラチナは酸素と水素を吸着するいわゆるコロイド活性化を促進するために混合するものであり、窒化珪素は移動方向を一定方向へ規制して水素の働きを良くするために混合するものである。
【００６３】
かかる混合粉末を繊維体３に分散状態で混入する手段としては、繊維糸単体に予め混合粉末をバインダーを介して吸着せしめこの繊維糸をシート状に織製する手段や、予め布状に織製した布状体に接着剤などのバインダーを利用して混合粉末を付着させる手段や、予め混合粉末を界面活性剤を介して水等の液体に溶解しこの混合液体中に繊維体を浸漬して分散状態で混入浸透させる手段等各種手段があり、かかる混入手段はこれらに限定されるものではない。
【００６４】
しかも、治療導子Dの金属筒体D-1に挿入した綿棒E-1先端の綿体E-2外表面は、このようなアルミナ粉、チタン粉及びプラチナ粉よりなる混合粉末が分散状態で混入した繊維体３からなる包被体により被覆されている。
【００６５】
すなわち、治療導子Dの端子部分をアルミナ粉、チタン粉及びプラチナ粉等よりなる混合粉末が分散状態で混入した繊維体３からなる包被体により被覆している。
【００６６】
包被体による綿体E-2外表面の被覆の形態は、包被体を予め小さく切断しておき綿体E-2の外表面を包被して紐体で緊締する形態や、予め包被体を綿体E-2の端子形状に沿った形に成型し、使用時に綿体E-2に被せる形態や、単に包被体を小さく切断して綿体E-2に被せて包被体の縁部をつまんで緊締する形態などがある。いづれの形態であっても、美顔施術患者毎に綿棒E-1、綿体E-2と一体に包被体を２〜３回取り替えるため、綿体に包被体を被覆し易い形態でかつ綿棒は金属筒体に着脱容易でなければならない。
【００６７】
このように、治療導子の金属先端に突出した綿体E-2外表面には繊維体３からなる包被体を被覆しているために、セラミックスの遠赤外線特性を有した繊維体３からなる包被体は内部に綿体を包含した状態になり、二重の柔軟な繊維状或いは綿状の治療導子が構成され、顔面皮膚面への当接密着具合を向上させ通電効率を図ることができ、かつ水の吸水性も向上し余分な過水分が顔面に漏水し患者に不快感を与えることを防止することでき、更には綿体E-2の密度を外表面の繊維体３の密度よりも大にしておくと水分を内部の高密度の綿体E-2に毛細管現象で充分にかつ多量に含浸させておくことができるため、水分を美顔施術中に徐々に外表面の繊維体３から滲み出させ適宜の表面湿布状態を保持することができ、低周波のパルス波の伝導機能を一段と向上させることができると共に、治療導子と皮膚表面との密着性の向上により遠赤外線の有効な作用を更に助長することができる。
【００６８】
美顔施術を行なうに際しては、治療導子の端子部分を構成する綿体E-2を被覆した混合粉末混入の繊維体３に充分水を含浸させて綿体E-2にまで水を湿潤させた状態とし、顔面の施術個所にゼリー状の導電性滑動剤を塗布し治療導子先端を顔面に当接しながら低周波の電圧パルスを送る。
【００６９】
電圧パルスは金属筒体D-1から綿棒E-1や湿潤状態の綿体E-2基部に伝導されて綿体E-2を介してその外表面の繊維体３からなる包被体に伝導される。
【００７０】
なお、綿体E-2とアルミナ等の混入した繊維体３には必ずしも水を含浸させる必要はなく、水に類似する刺激のない薬品液や顔面皮膚面に補給し有効に作用するコラーゲン栄養液等を用いても良く、更には綿体E-2や繊維体３の代わりに導電効率のよい柔軟な皮膚密着性のよい素材、例えば導電性ゴム等を用いることにより水等を含浸させないでそのまま導電性ゴムの治療導子を使用することもできる。なお、この場合には導電性ゴム中に上記した混合粉末、すなわち、粒度１μ以下のパウダーの焼結アルミナ、粒度１μ以下のパウダー状のチタン、微細粒径のプラチナ、窒化珪素等の混合粉末を混入する。
【００７１】
上記した実施例は、アルミナ等の混入した繊維体３を治療導子Dの端子部分に包被した場合について説明したが、この他に治療導子Dの端子部分をアルミナ等の混入した繊維体３そのもので構成することもできる。
【００７２】
すなわち、上記した綿体E-2の代わりに当初からアルミナ等の混入した繊維体３を使用するものであり、この場合はアルミナ等の混入した繊維体３を予め球状に形成し、この球状の繊維体３に棒体を連設し棒体を金属筒体D-1中に挿入固定して球状の繊維体３が金属筒体D-1から突出した状態とするものである。
【００７３】
なお、この場合においても、球状の繊維体３の基端部は金属筒体D-1の開口部に一部嵌入接触した状態しておく。
【００７４】
このように構成した治療導子D、すなわち端子部分を繊維体３で包被した治療導子D或いは端子部分を繊維体３そのもので構成した治療導子Dを顔面の所定個所に圧着して顔面神経や所定の筋肉繊維に低周波電気エネルギーを送ると電気刺激によって神経を刺激し、筋肉組織を回復させ血行を促進し顔面筋肉の強化運動が行なわれる。
【００７５】
すなわち、対極導子１と治極導子２との間においては通電回路が形成されて低周波パルスが各導子間を往復動し、かかる低周波電気エネルギーが顔面神経を刺激すると筋肉繊維が収縮活性化し血行を促進することになるが、特に顔面皮膚面と治療導子Dとの間にはアルミナ粉、チタン粉及びプラチナ粉よりなる混合粉末を分散状態で混入した繊維体３が介在しているために、繊維体３から赤外線微弱エネルギー、いわゆる遠赤が発生し顔面の筋肉繊維に浸透し、同時に低周波電気エネルギーにより活性化された筋肉繊維の細胞内にある水分子の動きも活発にし、血行促進がより促され、顔面の皮膚細胞の活性化と共に皮膚の下層にある筋肉組織も活性化し老廃物を対外に排出し新陳代謝を活発にすることになる。
【００７６】
このように、繊維体３からの赤外線微弱エネルギー、いわゆる遠赤作用と低周波電気治療装置による低周波電気エネルギーの作用とが相俟って顔面の皮膚のたるみやしみや皺等を速やかに除去し美顔施術の効果をより一層向上させるようにしたものである。
【００７７】
繊維体３からの赤外線微弱エネルギー、いわゆる遠赤が具体的にどのようにして顔面の皮膚面やその下層の筋肉組織に作用するかというその作用のメカニズムに関しては明確に解明されてはいないが、ただ遠赤外線の効果はあらゆる分野で実証されていることであり、そのために本考案ではかかる遠赤外線が顔面の組織に最も効果的に作用するような遠赤外線波長を照射できる素材の混合粉末を用いている。
【００７８】
かかる混合粉末はすでに述べたようにアルミナ粉、チタン粉及びプラチナ粉あるいは窒化珪素よりなり、このような素材の混合粉末は波長域の大きい十分な量の赤外線微弱エネルギーを放射することができるものであり、本件考案では、波長３〜１２μｍ以上において有効であり、特に波長４μｍ以上で比較的低温度域においても十分なエネルギー放射量を得ることができる。
【００７９】
このように本件考案の実施例によれば、かかる遠赤効果や顔面皮膚への温熱効果に加えて、低周波電気治療装置からの電気エネルギーによる顔面神経や筋肉への刺激効果という相乗的な効果によって顔面筋肉組織の血行促進を飛躍的に向上でき、顔面皮膚及びその下層筋肉を活性化させ、顔面筋肉の張りを向上し顔面の皺やしみの除去が確実に行える効果を有するものである。
【００８０】
ここで、低周波電気治療装置における治療導子の端子部分を、アルミナ粉、チタン粉及びプラチナ粉更には窒化珪素よりなる混合粉末が分散状態で混入した繊維体により被覆し、あるいは治療導子の端子部分をかかる繊維体により構成し、同繊維体を湿潤した状態として顔面の皮膚患部に圧着して具体的な美顔施術を行なう場合において、顔面施術個所と施術の形態の実施例を以下説明する。
【００８１】
すなわち、
１） あごの中央に治療導子を圧着し垂直にゆっくりと引っ張り、これを口の中央部から口角へ行なうことにより下唇下制筋の活性化を図る。
２） 両方の治療導子をあごの中央におき、片方を外側に向かって引きあごの筋肉の緊張をやわらげる。
３） 両治療導子をしたあごの付け根にあて、口の横の方に向かって、片方の治療導子はじっと固定させておき、ゆっくりともう一方の治療導子を口の外側へ向かって動かし口角下制筋を鍛える。
４） 一方の治療導子を上唇の突起部におき、もう一方の治療導子で口角の下からすくい上げる様にして筋肉をつまみ上げ口輪筋を縮める。
５） 一方の治療導子をほほの真下におき、つまむ様な感じで持ち上げながら３個所のポイントに順次もう一方の治療導子を当接して上唇鼻翼拳筋（眼角筋）を縮める。
６） 一方の治療導子をほほ骨の下におき、もう一方の治療導子をあごの骨の端におき下あごの部分を縮める。
７） 両方の治療導子を筋肉にあて、両方の治療導子の間で筋肉をつまむ感じで持ち上げ下あごの咀しゃく運動に用いられる筋肉（咬筋）を縮める。
８） 一方の治療導子を眼骨の端におき、もう一方の治療導子をほほ骨に押さえてはつまみ上げほほの上部を縮める。
９） 一方の治療導子を目尻と耳を結ぶ線上の真中におき、もう一方の治療導子を口輪筋の外側におき、両方の治療導子の間で筋肉をつまみ上げ大・小の頬骨筋を縮める。
１０） 一方の治療導子を耳の頂点から約2.5〜4cm上におき、もう一方の治療導子を髪の生え際において、そのまま筋肉を上方に持ち上げ前耳介筋を縮める。
１１） 両方の治療導子を中央左右におき、ゆっくりと両方の治療導子を左右に引き離す感じで眉尻側に眉皺筋をならすことによりすう眉筋をリラックスさせる。
１２） 両方の治療導子で眉の間をＸ字を書く感じでマッサージし、リラックスさせる。
【００８２】
本件考案の実施例においては、上述したアルミナ等の混入した繊維体で端子部分を包被し、或いは端子部分を繊維体そのもので構成した治療導子によって顔面の所定個所に上記のような美顔施術を行なうことにより本考案の美顔方法が実施されるものであり、かかる美顔方法により顔面の皮膚面に生じるしみやたるみや皺を有効に除去することができる効果を生起するものである。
【００８３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【００８４】
たとえば、前述の実施例に示した金属筒体Ｄ−１の図１に示すＡ−Ａ断面視では、図４（ａ）に示すように円筒形状としていたが、例えば、図４（ｂ）に示すように、金属筒体Ｄ−１の側部に長手方向へ向けてスリットを形成し、太さの異なる市販の綿棒にさらに柔軟に対応可能としても良い。
【００８５】
すなわち、金属挟持体Ｋ−１の先端部からグリップ部Ｄ−２へ（長手方向へ）向けてスリットＳを形成することにより、上部挟持片10と下部挟持片11とを形成して、同金属挟持体Ｋ−１の内部空間Ｖに挿入した綿棒Ｅ−１を上部挟持片10及び下部挟持片11で挟持するようにしても良い。
【００８６】
このような構成とすることにより、金属挟持体Ｋ−１の柔軟性をさらに向上させて、市販されている大部分の綿棒を容易に装着することができて、綿体や繊維体を美顔治療患者毎に交換する煩わしさを飛躍的に軽減させることができる。
【００８７】
なお、この金属挟持体Ｋ−１においても、先端部にはテーパー部を形成しても良いのは勿論である。
【図面の簡単な説明】
【００８８】
【図１】本考案の美顔方法に使用する治療導子構造を有した低周波電気治療装置の説明図。
【図２】本考案の美顔方法に使用する治療導子構造の断面説明図
【図３】本考案の美顔方法における治療導子構造に使用する綿棒の断面説明図
【図４】金属筒体のＡ−Ａ断面説明図及び他の実施形態に係る金属挟持体の断面説明図。
【符号の説明】
【００８９】
Ａ  低周波電気治療装置
Ｂ  治療機本体
Ｃ  ケーブル
D  治療導子
１  対極導子
２  治極導子
３  繊維体
【図１】
0003141514.tif 000003
【図２】
0003141514.tif 000004
【図３】
0003141514.tif 000005
【図４】
0003141514.tif 000006